(57)【要約】【課題】画像ログの検索を少ない処理負荷で実行できる情報処理システムを提供すること。【解決手段】画像ログを検索する情報処理システムであって、全体画像への文字画像の挿入機能を利用して、文字コードと対応付けられた画像を、全体画像に挿入する画像挿入手段と、全体画像に対する処理の内容を、画像の画像ログ及び画像と対応付けられた文字コードのテキストログを含む全体画像のログ情報として抽出するログ抽出手段と、全体画像のログ情報を保存する保存手段と、画像と対応付けられた文字コードを検索キーとして、保存手段に保存された全体画像のログ情報から、文字コードのテキストログを含む全体画像のログ情報を検索することで画像の画像ログを検索するログ検索手段と、を有することにより上記課題を解決する。【選択図】  図１
2020013217.tif 000002
【特許請求の範囲】
【請求項１】
画像ログを検索する情報処理システムであって、
全体画像への文字画像の挿入機能を利用して、文字コードと対応付けられた画像を、前記全体画像に挿入する画像挿入手段と、
前記全体画像に対する処理の内容を、前記画像の画像ログ及び前記画像と対応付けられた前記文字コードのテキストログを含む前記全体画像のログ情報として抽出するログ抽出手段と、
前記全体画像のログ情報を保存する保存手段と、
前記画像と対応付けられた前記文字コードを検索キーとして、前記保存手段に保存された前記全体画像のログ情報から、前記文字コードのテキストログを含む前記全体画像のログ情報を検索することで前記画像の画像ログを検索するログ検索手段と、
を有する情報処理システム。
【請求項２】
すべての文字コードに対応する字形が、文字枠の形であるフォントを記憶するフォント記憶手段、を更に有し、
前記画像挿入手段は、前記文字コードに対応する字形を前記フォント記憶手段から読み出し、指定された画像での字形内部塗りつぶし機能を利用して、前記文字コードに対応する字形を、前記文字枠の大きさに調整した前記文字コードと対応付ける前記画像で塗りつぶすことで、前記文字コードと対応付けられた前記画像を前記全体画像に挿入すること
を特徴とする請求項１記載の情報処理システム。
【請求項３】
文字コードに対応する字形ごとの画像ファイルを記憶する画像ファイル記憶手段、を更に有し、
前記画像挿入手段は、前記画像ファイル記憶手段から前記文字コードと対応付けられた前記画像ファイルを読み出し、前記文字コードに対応する字形を、前記文字コードと対応付けられた前記画像ファイルの画像に置き換える機能を利用して、前記文字コードと対応付けられた前記画像を前記全体画像に挿入すること
を特徴とする請求項１記載の情報処理システム。
【請求項４】
前記挿入機能は、イメージバリアブル機能であること、
を特徴とする請求項１乃至３何れか一項記載の情報処理システム。
【請求項５】
情報処理システムにおいて実行される画像ログ検索方法であって、
全体画像への文字画像の挿入機能を利用して、文字コードと対応付けられた画像を、前記全体画像に挿入する画像挿入ステップと、
前記全体画像に対する処理の内容を、前記画像の画像ログ及び前記画像と対応付けられた前記文字コードのテキストログを含む前記全体画像のログ情報として抽出するログ抽出ステップと、
前記全体画像のログ情報を保存部に保存する保存ステップと、
前記画像と対応付けられた前記文字コードを検索キーとして、前記保存部に保存された前記全体画像のログ情報から、前記文字コードのテキストログを含む前記全体画像のログ情報を検索することで前記画像の画像ログを検索するログ検索ステップと、
を有する画像ログ検索方法。
【請求項６】
全体画像への文字画像の挿入機能を有する情報処理装置であって、
前記挿入機能を利用して、文字コードと対応付けられた画像を、前記全体画像に挿入する画像挿入手段と、
前記全体画像に対する処理の内容を、前記画像の画像ログ及び前記画像と対応付けられた前記文字コードのテキストログを含む前記全体画像のログ情報として抽出するログ抽出手段と、
前記全体画像のログ情報を保存する保存手段と、
前記画像と対応付けられた前記文字コードを検索キーとして、前記保存手段に保存された前記全体画像のログ情報から、前記文字コードのテキストログを含む前記全体画像のログ情報を検索することで前記画像の画像ログを検索するログ検索手段と、
を有する情報処理装置。
【請求項７】
全体画像への文字画像の挿入機能を有する情報処理装置を、
前記挿入機能を利用して、文字コードと対応付けられた画像を、前記全体画像に挿入する画像挿入手段、
前記全体画像に対する処理の内容を、前記画像の画像ログ及び前記画像と対応付けられた前記文字コードのテキストログを含む前記全体画像のログ情報として抽出するログ抽出手段、
前記全体画像のログ情報を保存する保存手段、
前記画像と対応付けられた前記文字コードを検索キーとして、前記保存手段に保存された前記全体画像のログ情報から、前記文字コードのテキストログを含む前記全体画像のログ情報を検索することで前記画像の画像ログを検索するログ検索手段、
として機能させるためのプログラム。
【発明の詳細な説明】
【技術分野】
【０００１】
本発明は、情報処理システム、画像ログ検索方法、情報処理装置及びプログラムに関する。
【背景技術】
【０００２】
例えば、印刷ジョブやスキャン画像から画像ログ（イメージログ）を取得して保存するセキュリティソリューションが存在している。これらのセキュリティソリューションでは印刷ジョブやスキャン画像のページイメージ（画像データ）を保存しておく。保存しておいた画像データは、日時、ユーザ情報、文書名などの管理情報を検索キーとして検索することができる。
【０００３】
従来、蓄積されたジョブログ情報内の画像を検索対象とし画像検索を行うことにより追跡可能とする、画像検索機能を持つ情報漏えい抑止システムがあった（例えば特許文献１参照）。
【発明の概要】
【発明が解決しようとする課題】
【０００４】
従来のセキュリティソリューションでは、画像ログそのものの検索ができず、例えば日時、ユーザ情報、文書名などの画像ログとは別の管理情報を検索キーとして検索を行っていた。なお、画像ログそのものの検索を行う従来の技術では、管理情報を検索キーとして検索するよりも多いコンピューティングパワー（計算機資源）が必要であり、検索結果を得るまでに時間が掛かるという問題があった。
【０００５】
本発明の実施の形態は、画像ログの検索を少ない処理負荷で実行できる情報処理システムを提供することを目的とする。
【課題を解決するための手段】
【０００６】
上記課題を達成するために、本願請求項１は、画像ログを検索する情報処理システムであって、全体画像への文字画像の挿入機能を利用して、文字コードと対応付けられた画像を、前記全体画像に挿入する画像挿入手段と、前記全体画像に対する処理の内容を、前記画像の画像ログ及び前記画像と対応付けられた前記文字コードのテキストログを含む前記全体画像のログ情報として抽出するログ抽出手段と、前記全体画像のログ情報を保存する保存手段と、前記画像と対応付けられた前記文字コードを検索キーとして、前記保存手段に保存された前記全体画像のログ情報から、前記文字コードのテキストログを含む前記全体画像のログ情報を検索することで前記画像の画像ログを検索するログ検索手段と、を有することを特徴とする。
【発明の効果】
【０００７】
本発明の実施の形態によれば、画像ログの検索を少ない処理負荷で実行できる。
【図面の簡単な説明】
【０００８】
【図１】本実施形態に係る情報処理システムの一例の構成図である。
【図２】本実施形態に係るコンピュータの一例のハードウェア構成図である。
【図３】本実施形態に係る画像形成装置の一例のハードウェア構成図である。
【図４】本実施形態に係るログ保存サーバ装置の一例の機能構成図である。
【図５】本実施形態に係る利用者用クライアント装置の一例の機能構成図である。
【図６】本実施形態に係る管理者用クライアント装置の一例の構成図である。
【図７】本実施形態に係る情報処理システムの処理手順の一例のフローチャートである。
【図８】機密文書の作成処理の一例のフローチャートである。
【図９】パスの塗りつぶし機能の一例の説明図である。
【図１０】イメージ定義用デジタル日本語フォントの一つの字形を機密画像に置き換える処理の一例の説明図である。
【図１１】機密文書の印刷処理の一例のフローチャートである。
【図１２】ログ情報の検索処理の一例のフローチャートである。
【図１３】検索画面の一例のイメージ図である。
【図１４】画像文字機能の一例の説明図である。
【図１５】機密文書の作成処理の一例のフローチャートである。
【発明を実施するための形態】
【０００９】
以下、本発明の実施形態について図面を参照しながら説明する。
【００１０】
［第１の実施形態］
＜システム構成＞
図１は本実施形態に係る情報処理システムの一例の構成図である。図１の情報処理システム１はＬＡＮやＷＡＮなどのネットワーク１８を介して接続されたログ保存サーバ装置１０、利用者用クライアント装置１２、管理者用クライアント装置１４及び画像形成装置１６を有する。
【００１１】
なお、図１では利用者用クライアント装置１２と画像形成装置１６とがネットワーク１８を介して接続される例を示したが、ＵＳＢケーブルやプリンタケーブルなどで直接接続されていてもよい。ログ保存サーバ装置１０、利用者用クライアント装置１２、管理者用クライアント装置１４及び画像形成装置１６は、複数台であってもよい。
【００１２】
ログ保存サーバ装置１０はＰＣなどの情報処理装置により実現される。ログ保存サーバ装置１０は後述するログ情報を利用者用クライアント装置１２から受信して保存し、管理者用クライアント装置１４に提供する。
【００１３】
利用者用クライアント装置１２及び管理者用クライアント装置１４は、ユーザが利用するＰＣ、スマートフォンや携帯電話などの情報処理装置により実現される。利用者用クライアント装置１２は画像形成装置１６のプリント機能やスキャナ機能を利用する利用者により操作される。利用者用クライアント装置１２は、画像形成装置１６のプリント機能やスキャナ機能を利用した場合にログ情報を抽出し、ログ保存サーバ装置１０に送信する機能を有する。
【００１４】
管理者用クライアント装置１４は、後述する機密画像の管理やログ情報の管理を行う管理者により操作される。管理者用クライアント装置１４は、管理者の操作により機密画像と文字コードとを対応付けて管理する機能と、機密画像と対応付けた文字コードにより機密画像に対する処理のログ情報を検索する機能と、を有する。
【００１５】
画像形成装置１６は、ネットワーク１８を介して利用者用クライアント装置１２に接続されるプリンタ、複合機、レーザプリンタなどの処理装置である。なお、複合機はプリント機能、スキャナ機能、コピー機能、又は、ファクシミリ機能などを備えたマルチファンクションプリンタである。
【００１６】
＜ハードウェア構成＞
図１のログ保存サーバ装置１０、利用者用クライアント装置１２及び管理者用クライアント装置１４は例えば図２に示すハードウェア構成のコンピュータにより実現される。図２は本実施形態に係るコンピュータの一例のハードウェア構成図である。
【００１７】
図２に示したコンピュータ５００は、入力装置５０１、表示装置５０２、外部Ｉ／Ｆ５０３、ＲＡＭ５０４、ＲＯＭ５０５、ＣＰＵ５０６、通信Ｉ／Ｆ５０７、及びＨＤＤ５０８などを備え、それぞれがバスＢで相互に接続されている。なお、入力装置５０１及び表示装置５０２は必要なときに接続して利用する形態であってもよい。
【００１８】
入力装置５０１はキーボードやマウス、タッチパネルなどを含み、ユーザが各操作信号を入力するのに用いられる。表示装置５０２はディスプレイ等を含み、コンピュータ５００による処理結果を表示する。
【００１９】
通信Ｉ／Ｆ５０７はコンピュータ５００をネットワーク１８に接続するインタフェースである。これにより、コンピュータ５００は通信Ｉ／Ｆ５０７を介してデータ通信を行うことができる。
【００２０】
また、ＨＤＤ５０８は、プログラムやデータを格納している不揮発性の記憶装置の一例である。格納されるプログラムやデータには、コンピュータ５００全体を制御する基本ソフトウェアであるＯＳ、及びＯＳ上において各種機能を提供するアプリケーションソフトウェア（以下、単にアプリケーションと呼ぶ）などがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２１】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２２】
ＲＯＭ５０５は、電源を切ってもプログラムやデータを保持することができる不揮発性の半導体メモリ（記憶装置）の一例である。ＲＯＭ５０５にはコンピュータ５００の起動時に実行されるＢＩＯＳ、ＯＳ設定、及びネットワーク設定などのプログラムやデータが格納されている。ＲＡＭ５０４はプログラムやデータを一時保持する揮発性の半導体メモリ（記憶装置）の一例である。
【００２３】
ＣＰＵ５０６はＲＯＭ５０５やＨＤＤ５０８などの記憶装置からプログラムやデータをＲＡＭ５０４上に読み出し、処理を実行することで、コンピュータ５００全体の制御や機能を実現する演算装置である。本実施形態に係るログ保存サーバ装置１０、利用者用クライアント装置１２及び管理者用クライアント装置１４は、上記したコンピュータ５００のハードウェア構成により後述するような各種処理を実現できる。
【００２４】
図１の画像形成装置１６は例えば図３に示すハードウェア構成により実現される。図３は本実施形態に係る画像形成装置の一例のハードウェア構成図である。画像形成装置１６はコントローラ６０１、操作パネル６０２、外部Ｉ／Ｆ６０３、通信Ｉ／Ｆ６０４、プリンタ６０５及びスキャナ６０６などを備える。
【００２５】
コントローラ６０１はＣＰＵ６１１、ＲＡＭ６１２、ＲＯＭ６１３、ＮＶＲＡＭ６１４及びＨＤＤ６１５などを備える。ＲＯＭ６１３は、各種プログラムやデータが格納されている。ＲＡＭ６１２はプログラムやデータを一時保持する。ＮＶＲＡＭ６１４は、例えば設定情報ファイル等が格納されている。また、ＨＤＤ６１５は各種プログラムやデータが格納されている。
【００２６】
ＣＰＵ６１１はＲＯＭ６１３やＮＶＲＡＭ６１４、ＨＤＤ６１５などからプログラムやデータ、設定情報ファイル等をＲＡＭ６１２上に読み出し、処理を実行することで、画像形成装置１６全体の制御や機能を実現する。
【００２７】
操作パネル６０２はユーザからの入力を受け付ける入力部と、表示を行う表示部とを備えている。外部Ｉ／Ｆ６０３は外部装置とのインタフェースである。外部装置には、記録媒体６０３ａなどがある。これにより、画像形成装置１６は外部Ｉ／Ｆ６０３を介して記録媒体６０３ａの読み取り及び／又は書き込みを行うことができる。記録媒体６０３ａにはＩＣカード、フレキシブルディスク、ＣＤ、ＤＶＤ、ＳＤメモリカード、ＵＳＢメモリ等がある。
【００２８】
通信Ｉ／Ｆ６０４は画像形成装置１６をネットワーク１８に接続させるインタフェースである。これにより、画像形成装置１６は通信Ｉ／Ｆ６０４を介してネットワーク１８に接続された利用者用クライアント装置１２とデータ通信を行うことができる。プリンタ６０５は、印刷データを用紙に印刷する印刷装置である。スキャナ６０６は、原稿から画像データ（電子データ）を読み取る読取装置である。なお、図３は画像形成装置１６が複合機である例を示しており、画像形成装置１６が複合機以外である場合、他の構成であってもよい。
【００２９】
＜ソフトウェア構成＞
《ログ保存サーバ装置》
本実施形態に係るログ保存サーバ装置１０は、例えば図４に示すような機能により実現される。図４は本実施形態に係るログ保存サーバ装置の一例の機能構成図である。図４のログ保存サーバ装置１０はプログラムを実行することで、ログ情報記憶部２０、送受信部２２及び画像ログ検索部２４を実現する。
【００３０】
ログ情報記憶部２０は後述のログ情報を記憶する。送受信部２２は利用者用クライアント装置１２からログ情報を受信し、ログ情報記憶部２０に記憶させる。また、送受信部２２はログ情報記憶部２０に記憶されているログ情報を管理者用クライアント装置１４に送信する。画像ログ検索部２４はログ情報記憶部２０に記憶されているログ情報の検索機能を管理者用クライアント装置１４に提供する。
【００３１】
《利用者用クライアント装置》
本実施形態に係る利用者用クライアント装置１２は、例えば図５に示すような機能により実現される。図５は本実施形態に係る利用者用クライアント装置の一例の機能構成図である。図５の利用者用クライアント装置１２はプログラムを実行することで、文書作成部３０、文書ファイル記憶部３２、送受信部３４、印刷データ生成部３６及びログ情報抽出部３８を実現する。
【００３２】
文書作成部３０は、ユーザにＰＤＦ（ポータブルドキュメントフォーマット）などの文書ファイルを作成する機能を提供する。文書ファイル記憶部３２は、文書ファイルを記憶する。送受信部３４は、管理者用クライアント装置１４との間で文書ファイルの送受信を行う。また、送受信部３４は印刷データを画像形成装置１６に送信し、ログ情報をログ保存サーバ装置１０に送信する。印刷データ生成部３６は、文書ファイルから印刷データを生成する。ログ情報抽出部３８は、文書ファイルから生成した印刷データのログ情報を抽出する。
【００３３】
《管理者用クライアント装置》
本実施形態に係る管理者用クライアント装置１４は、例えば図６に示す機能により実現される。図６は本実施形態に係る管理者用クライアント装置の一例の構成図である。図６の管理者用クライアント装置１４はプログラムを実行することで、機密画像ファイル記憶部４０、イメージ定義用デジタル日本語フォント記憶部４２、機密画像挿入部４４、文書ファイル記憶部４６、対応情報記憶部４８、送受信部５０及び画像ログ検索要求部５２を実現する。
【００３４】
機密画像ファイル記憶部４０は機密画像ファイルを記憶する。イメージ定義用デジタル日本語フォント記憶部４２は後述するようなイメージ定義用デジタル日本語フォントを記憶する。機密画像挿入部４４は、イメージ定義用デジタル日本語フォントの字形内部を画像で塗りつぶす後述の「パスの塗りつぶし機能」を利用し、イメージ定義用デジタル日本語フォントの一つの字形を機密画像に置き換える。このように、機密画像挿入部４４は機密画像とイメージ定義用デジタル日本語フォントの文字コードとを対応付ける。
【００３５】
また、機密画像挿入部４４はイメージ定義用デジタル日本語フォントの文字コードと対応付けられた機密画像を、後述の「イメージバリアブル機能」を利用することで文字として文書ファイルに挿入する。文書ファイル記憶部４６は文書ファイルを記憶する。対応情報記憶部４８は機密画像とイメージ定義用デジタル日本語フォントの文字コードとの対応関係を対応情報として記憶する。
【００３６】
送受信部５０は利用者用クライアント装置１２から文書ファイルを受信し、文書ファイル記憶部４６に記憶させる。また、送受信部５０は文書ファイル記憶部４６に記憶されている文書ファイルを利用者用クライアント装置１２に送信する。画像ログ検索要求部５２は文字コードを検索キーに指定した画像ログの検索をログ保存サーバ装置１０に対して要求し、検索結果を受信する。
【００３７】
＜処理＞
《本実施形態に係る情報処理システムの処理概要》
本実施形態に係る情報処理システム１は例えば図７のフローチャートに示す手順で処理を行う。図７は、本実施形態に係る情報処理システムの処理手順の一例のフローチャートである。なお、本実施形態では機密画像の管理者、文書ファイルを作成する利用者、ログ情報の管理者、文書ファイルを印刷する利用者を分けて説明するが、この分け方に限定するものではない。
【００３８】
ステップＳ１０において、本実施形態に係る情報処理システム１では、機密画像の管理者及び文書ファイルを作成する利用者により、文書ファイルに機密画像が挿入された機密文書の作成処理が行われる。ステップＳ１２に進み、本実施形態に係る情報処理システム１では、文書ファイルを印刷する利用者により機密文書の印刷処理が行われ、その印刷処理のログ情報がログ保存サーバ装置１０に記憶される。
【００３９】
また、ステップＳ１４に進み、本実施形態に係る情報処理システム１では、ログ情報の管理者により、検索キーを指定してログ保存サーバ装置１０に保存されているログ情報の検索処理が行われる。
【００４０】
例えば機密画像と対応付けられたイメージ定義用デジタル日本語フォントの文字コードを検索キーに指定したログ情報の検索処理では、その機密画像がイメージ定義用デジタル日本語フォントの文字として挿入された機密文書のログ情報が検索される。ステップＳ１４の検索処理はテキスト検索であるため、画像マッチングなどの画像処理による検索処理よりも処理負荷が少ない。
【００４１】
《ステップＳ１０：機密文書の作成》
ステップＳ１０の機密文書の作成処理は、例えば図８のフローチャートに示す手順で行われる。図８は機密文書の作成処理の一例のフローチャートである。ステップＳ２０において文書ファイルを作成する利用者は、利用者用クライアント装置１２の文書作成部３０を利用して、機密画像なしの文書ファイルを例えばＰＤＦ形式で作成する。作成した機密画像なしの文書ファイルは利用者用クライアント装置１２の送受信部３４が管理者用クライアント装置１４に送信する。また、利用者は作成した機密画像なしの文書ファイルへの機密画像の挿入を、機密画像の管理者に依頼する。機密画像の管理者への依頼は送信する機密画像なしの文書ファイルに添付して行ってもよいし、別途、電子メールや電話などで連絡してもよい。
【００４２】
管理者用クライアント装置１４の送受信部５０は受信した機密画像なしの文書ファイルを文書ファイル記憶部４６に記憶させる。ステップＳ２２に進み、機密画像の管理者は利用者からの依頼に基づき、イメージ定義用デジタル日本語フォント及びパスの塗りつぶし機能を利用して、イメージ定義用デジタル日本語フォントの一つの字形を機密画像に置き換える。
【００４３】
ここで、図９を参照しながらパスの塗りつぶし機能について説明する。図９は、パスの塗りつぶし機能の一例の説明図である。パスの塗りつぶし機能は、図９（Ｂ）に示すような小さな画像で、図９（Ａ）に示すように全体画像に含まれる文字の字形内部を塗りつぶす機能である。
【００４４】
例えば図９（Ｂ）の小さな画像は、塗りつぶし用の画像として準備されたＰＮＧ形式やＴＩＦＦ形式の画像である。図９（Ａ）の全体画像は「ＨＥＬＬＯ  ＣＬＡＵＤＩＡ」という文字列の字形内部が、塗りつぶし用の画像として準備された図９（Ｂ）の小さな画像により塗りつぶされている。
【００４５】
また、本実施形態で利用するイメージ定義用デジタル日本語フォントは、すべての文字コードに対応する字形が、文字枠いっぱいの黒い四角形「■」である特殊なフォントであるとする。管理者用クライアント装置１４の機密画像挿入部４４は図９に示したパスの塗りつぶし機能を利用し、挿入したい機密画像を塗りつぶし用の画像として指定して、図１０に示すようにイメージ定義用デジタル日本語フォントの字形内部を塗りつぶす。
図１０はイメージ定義用デジタル日本語フォントの一つの字形を機密画像に置き換える処理の一例の説明図である。図１０（Ａ）はイメージ定義用デジタル日本語フォントの一つの字形として、文字枠いっぱいの黒い四角形を表している。なお、塗りつぶし用の画像のサイズは図９に示すように、字形内部を塗りつぶすフォントに比べて、はるかに小さいサイズを指定することもできるし、図１０（Ｂ）に示すように、イメージ定義用デジタル日本語フォントのサイズを指定することもできる。
【００４６】
機密画像挿入部４４は、図１０（Ａ）のイメージ定義用デジタル日本語フォントの一つの字形である文字枠いっぱいの黒い四角形を、イメージ定義用デジタル日本語フォントのサイズに調整した図１０（Ｂ）の機密画像で図１０（Ｃ）のように塗りつぶす。このように機密画像挿入部４４は字形が機密画像に置き換えられたイメージ定義用デジタル日本語フォントを実現できる。また、機密画像挿入部４４は機密画像とイメージ定義用デジタル日本語フォントの文字コードとを対応付けることができる。なお、機密画像と対応付けるイメージ定義用デジタル日本語フォントの文字コードは、使用頻度の低い文字の文字コード（例えば「鰾：うきぶくろ」の文字コードＥ９Ｅ２など）を利用することが望ましい。
【００４７】
ステップＳ２４に進み、機密画像挿入部４４は機密画像とイメージ定義用デジタル日本語フォントの文字コードとを対応付ける対応情報を対応情報記憶部４８に記憶させる。ステップＳ２６に進み、機密画像挿入部４４は、イメージバリアブル機能を利用してイメージ定義用デジタル日本語フォントの文字を置き換えた図１０（Ｃ）の機密画像を文書ファイルに挿入する。このように、機密画像挿入部４４は機密画像ありの文書ファイルを作成できる。作成した機密画像ありの文書ファイルは管理者用クライアント装置１４の送受信部５０が利用者用クライアント装置１２に送信する。利用者用クライアント装置１２の送受信部３４は受信した機密画像ありの文書ファイル（機密文書）を文書ファイル記憶部３２に記憶させる。
【００４８】
《ステップＳ１２：機密文書の印刷》
ステップＳ１２の機密文書の印刷処理は、例えば図１１のフローチャートに示す手順で行われる。図１１は機密文書の印刷処理の一例のフローチャートである。なお、図１１では機密文書を不正に印刷する第三者（不正利用者）が利用者用クライアント装置１２Ａを操作しているものとして説明を行う。
【００４９】
ステップＳ３０に進み、利用者用クライアント装置１２Ａは不正利用者から機密文書の印刷指示を受け付ける。ステップＳ３２に進み、利用者用クライアント装置１２Ａの印刷データ生成部３６は機密文書の印刷データを生成する。生成された機密文書の印刷データは送受信部３４により画像形成装置１６に送信される。ステップＳ３４に進み、画像形成装置１６は機密文書の印刷データの印刷処理を行う。
【００５０】
利用者用クライアント装置１２Ａのログ情報抽出部３８はステップＳ３６に進み、印刷指示を受け付けた機密文書のログ情報として、機密文書の画像ログ、テキストログ及び印刷履歴情報を抽出する。なお、機密文書にはイメージ定義用デジタル日本語フォントの字形を置き換えた機密画像が挿入されている。したがって、ログ情報に含まれるテキストログには機密画像と対応付けられているイメージ定義用デジタル日本語フォントの文字コードが含まれることになる。
【００５１】
抽出されたログ情報は送受信部３４によりログ保存サーバ装置１０に送信される。ログ保存サーバ装置１０はステップＳ３８に進み、受信したログ情報をログ情報記憶部２０に記憶する。このように、ステップＳ１２の機密文書の印刷処理では、利用者用クライアント装置１２Ａで不正利用者から受け付けた印刷指示により画像形成装置１６で印刷された機密文書の画像ログ、テキストログ及び印刷履歴情報をログ保存サーバ装置１０に収集できる。
【００５２】
《ステップＳ１４：ログ情報の検索》
ステップＳ１４のログ情報の検索処理は、例えば図１２のフローチャートに示す手順で行われる。図１２はログ情報の検索処理の一例のフローチャートである。ステップＳ４０において管理者用クライアント装置１４の画像ログ検索要求部５２は例えば図１３に示す検索画面を表示し、ログ情報の管理者から検索条件の指定を受け付ける。
【００５３】
図１３は検索画面の一例のイメージ図である。図１３の検索画面は検索条件の一つとして検索文字列の指定が可能である。ステップＳ４２において、ログ情報の管理者は対応情報記憶部４８に記憶された対応情報から、ログ情報を確認したい（検索したい）機密画像と対応付いたイメージ定義用デジタル日本語フォントの文字（検索対象文字）を確認する。
【００５４】
ログ情報の管理者は、図１３の検索画面に検索文字列として検索対象文字（例えば「鰾：うきぶくろ」）を指定することで、所望の機密画像に関係するログ情報の検索を指示できる。ステップＳ４４において管理者用クライアント装置１４の画像ログ検索要求部５２はログ情報の管理者から検索文字列として検索対象文字の指定を受け付ける。
【００５５】
ステップＳ４６に進み、画像ログ検索要求部５２は検索対象文字の文字コードを指定してログ保存サーバ装置１０に検索要求を行う。ステップＳ４８に進み、ログ保存サーバ装置１０の画像ログ検索部２４は指定された検索対象文字の文字コードで、ログ情報記憶部２０に記憶されているログ情報のテキストログを検索する。
【００５６】
ステップＳ４８の検索処理は、検索対象文字の文字コードを検索キーとしたテキストログのテキスト検索であるため、画像マッチングなどの画像処理による検索処理よりも少ない処理負荷で所望の機密画像に関係するログ情報を検索できる。ステップＳ４８による検索結果は管理者用クライアント装置１４に送信される。
【００５７】
ステップＳ５０に進み、管理者用クライアント装置１４の画像ログ検索要求部５２は検索結果として、所望の機密画像が挿入された文書ファイルを、いつ、誰が、どの利用者用クライアント装置１２から、その画像形成装置１６から印刷したか、などの印刷履歴情報を確認できる。
【００５８】
（まとめ）
第１の実施形態によれば、イメージ定義用デジタル日本語フォント及びパスの塗りつぶし機能を利用することでイメージ定義用デジタル日本語フォントの字形を機密画像に置き換えて挿入できる。また、ログ情報には印刷データに含まれる文字の情報がテキストログとして保存される。したがって、第１の実施形態によれば、所望の機密画像に関係するログ情報を処理負荷の少ないテキスト検索で実現できる。
【００５９】
［第２の実施形態］
第１の実施形態では、イメージ定義用デジタル日本語フォントとパスの塗りつぶし機能とを利用している。第２の実施形態は画像文字機能を利用するものである。図１４は画像文字機能の一例の説明図である。画像文字機能は全体画像に含まれる文字の字形を、文字ごとに用意した画像（文字画像）に置き換えて出力する機能である。
【００６０】
図１４（Ｂ）は文字「Ｙ」の文字画像を一例として示している。文字画像はＰＮＧ形式やＴＩＦＦ形式の画像ファイルを１文字ごとに用意する。例えば文字画像の画像ファイルは「文字コード．拡張子」のファイル名を与えることで、機密画像挿入部４４が文字画像の画像ファイルを識別できるようにする。機密画像の管理者は、文字「Ｙ」の文字画像の画像ファイルに対して「Ｙの文字コード．ｐｎｇ」といったファイル名を与える。
【００６１】
図１４（Ａ）は全体画像に含まれる文字「Ｍ」「Ａ」「Ｘ」の字形を、対応する文字画像に置き換えた例である。このような画像文字機能を利用することにより、第１の実施形態と同様、字形が機密画像に置き換えられた画像文字を実現できる。例えば第２の実施形態では図８の機密文書の作成処理に替えて、図１５の機密文書の作成処理を行う。
【００６２】
図１５は機密文書の作成処理の一例のフローチャートである。図１５のフローチャートはステップＳ６２の処理が図８のフローチャートの処理と異なっている。ステップＳ６２において、機密画像の管理者は利用者からの依頼に基づき、画像文字機能を利用して、全体画像に含まれる文字の字形を機密画像に置き換える。
【００６３】
（まとめ）
第２の実施形態によれば、画像文字機能を利用することで機密画像を画像文字の字形として挿入できる。また、ログ情報には印刷データに含まれる文字の情報がテキストログとして保存される。したがって、第２の実施形態によれば、所望の機密画像に関係するログ情報を処理負荷の少ないテキスト検索で実現できる。
【００６４】
本発明は、具体的に開示された上記の実施形態に限定されるものではなく、特許請求の範囲から逸脱することなく、種々の変形や変更が可能である。なお、本実施形態で説明した情報処理システム１は一例であって、用途や目的に応じて様々なシステム構成例があることは言うまでもない。
【００６５】
なお、イメージバリアブル機能は特許請求の範囲に記載した挿入機能の一例である。機密画像挿入部４４は画像挿入手段の一例である。ログ情報抽出部３８はログ抽出手段の一例である。ログ保存サーバ装置１０は保存手段の一例である。画像ログ検索部２４及び画像ログ検索要求部５２はログ検索手段の一例である。また、イメージ定義用デジタル日本語フォント記憶部４２はフォント記憶手段の一例である。文字画像の画像ファイルを記憶する記憶部は画像ファイル記憶手段の一例である。
【符号の説明】
【００６６】
１    情報処理システム
１０    ログ保存サーバ装置
１２    利用者用クライアント装置
１４    管理者用クライアント装置
１６    画像形成装置
１８    ネットワーク
２０    ログ情報記憶部
２２    送受信部
２４    画像ログ検索部
３０    文書作成部
３２    文書ファイル記憶部
３４    送受信部
３６    印刷データ生成部
３８    ログ情報抽出部
４０    機密画像ファイル記憶部
４２    イメージ定義用デジタル日本語フォント記憶部
４４    機密画像挿入部
４６    文書ファイル記憶部
４８    対応情報記憶部
５０    送受信部
５２    画像ログ検索要求部
【先行技術文献】
【特許文献】
【００６７】
【特許文献１】特開２００８−２７１３１号公報
【図１】
2020013217.tif 000003
【図２】
2020013217.tif 000004
【図３】
2020013217.tif 000005
【図４】
2020013217.tif 000006
【図５】
2020013217.tif 000007
【図６】
2020013217.tif 000008
【図７】
2020013217.tif 000009
【図８】
2020013217.tif 000010
【図９】
2020013217.tif 000011
【図１０】
2020013217.tif 000012
【図１１】
2020013217.tif 000013
【図１２】
2020013217.tif 000014
【図１３】
2020013217.tif 000015
【図１４】
2020013217.tif 000016
【図１５】
2020013217.tif 000017